(57)【要約】【課題】ものの出し入れがしやすい段ボール製収納箱を提供する。【解決手段】本考案の段ボール製収納箱は、少なくとも一つの開口を有し、該開口には、開口を閉じたり開いたりするための扉を備えている段ボール製収納箱において、前記扉には、幅方向に貫通する穴と、該穴内に移動可能に挿入される少なくとも２本の棒と、該棒同士の間に介在される少なくとも１つのバネ部材とからなる棒状部材が取り付けられ、前記開口近傍の箱本体側に、前記棒状部材の両端を摺動又は回動可能に支えると共に、該支えられた棒状部材が抜け出さない様にする棒状部材支持部が形成されており、前記棒状部材は、その両端を押圧すると、全長が前記棒状部材支持部に挿入可能な長さとなり、該押圧をやめると、全長が前記棒状部材支持部から容易に抜け出さない長さに復帰する様に構成されていることを特徴とする。【選択図】　図１２
0003097306.tif 000002
【実用新案登録請求の範囲】
【請求項１】
少なくとも一つの開口を有し、該開口には、開口を閉じたり開いたりするための扉を備えている段ボール製収納箱において、
前記扉には、幅方向に貫通する穴と、該穴内に移動可能に挿入される少なくとも２本の棒と、該棒同士の間に介在される少なくとも１つのバネ部材とからなる棒状部材が取り付けられ、
前記開口近傍の箱本体側に、前記棒状部材の両端を摺動又は回動可能に支えると共に、該支えられた棒状部材が抜け出さない様にする棒状部材支持部が形成されており、
前記棒状部材は、その両端を押圧すると、全長が前記棒状部材支持部に挿入可能な長さとなり、該押圧をやめると、全長が前記棒状部材支持部から容易に抜け出さない長さに復帰する様に構成されていること
を特徴とする段ボール製収納箱。
【請求項２】
請求項１記載の段ボール製収納箱において、
前記扉は、その上縁付近に前記棒状部材が取り付けられると共に、収納物を視認するための窓と、該窓の下方に位置する取手とを備え、
前記棒状部材支持部は、前記開口の上縁付近において、前記箱本体の側壁に沿って、箱本体の後端に向かって伸びる水平溝を形成する様に構成され、
前記棒状部材は、前記水平溝にはめ込まれると共に、
前記開口には、前記扉を閉じたときの位置決めと、前記扉を開いたときの下支えとしての内枠が取り付けられていること
を特徴とするシューズ収納用の段ボール製収納箱。
【請求項３】
請求項１記載の段ボール製収納箱において、
前記扉（上扉）は、その上縁付近に前記棒状部材が取り付けられると共に、前記箱本体の高さのほぼ１／３〜２／３程度の高さを有し、収納物を視認するための窓と、該窓の下方に位置する取手とを備え、
さらに、該扉で覆うことのできない前記開口の下半分を開閉可能に覆うために下縁付近に前記棒状部材が取り付けられたの第２の扉（下扉）をも備え、
前記棒状部材支持部が、前記開口の上縁付近において、前記箱本体の側壁に沿って、箱本体の後端に向かって伸びる水平溝を形成する様に構成され、
さらに、前記開口の下縁付近の側壁に形成された回動支持穴によって構成される第２の棒状部材支持部も形成され、
前記上扉は、その棒状部材を前記水平溝にはめ込むことによって前記箱本体に取り付けられ、
前記下扉は、その棒状部材を前記穴にはめ込むことによって前記箱本体に取り付けられ、
前記箱本体の内部には、前記各扉を閉じたときの位置決めと、前記上扉を開いたときの下支えとしての内枠が取り付けられ、
前記下扉及び前記内枠には、前記下扉を閉じた状態を維持するための閉鎖状態維持部材が備えられていること
を特徴とするブーツ収納用の段ボール製収納箱。
【請求項４】
請求項１記載の段ボール製収納箱において、
前記開口内には、該開口のほぼ１／３〜２／３程度の高さの前面板と、前記開口とほぼ等しい高さの後面板と、前記前面板から前記後面板にかけて、高さが徐々に高くなる様にされた側面板と、底板とを有する引き出しが挿入されており、前記扉は、前記開口の前記引き出しの前面板の上方の開口部分とほぼ同じ高さに形成されて、その上縁付近に前記棒状部材を取り付けられており、
前記棒状部材支持部が、前記開口の上縁付近において、前記箱本体の側壁に形成された回動支持穴によって構成され、
該回動支持穴に、前記扉の棒状部材がはめ込まれていること
を特徴とする洗面台下収納用の段ボール製収納箱。
【請求項５】
請求項１記載の段ボール製収納箱において、
前記開口内には、該開口のほぼ１／５〜４／５程度の高さで前記扉として機能する前面板と、前記箱本体の奥行き方向に伸びる底板と、該底板と前記前面板との間に形成される側板とを有し、前記前面板の下縁付近に前記棒状部材が取り付けられているする新聞・雑誌受けが挿入されており、
前記棒状部材支持部が、前記開口の下縁付近において、前記箱本体の側壁に形成された回動支持穴によって構成され、
該回動支持穴に、前記新聞・雑誌受けの前面板の棒状部材がはめ込まれていること
を特徴とする新聞・雑誌収納用の段ボール製収納箱。
【請求項６】
請求項１記載の段ボール製収納箱において、
前記扉は、その上縁付近に前記棒状部材が取り付けられると共に、収納物を視認するための窓と、該窓の下方に位置する取手とを備え、
前記棒状部材支持部は、前記開口の上縁付近において、前記箱本体の側壁に沿って、箱本体の後端に向かって伸びる水平溝を形成する様に構成され、
前記棒状部材は、前記水平溝にはめ込まれると共に、
前記開口には、前記扉を閉じたときの位置決めと、前記扉を開いたときの下支えとしての内枠が取り付けられ、
さらに、収納箱本体の開口の枠の部分に潰れ防止用の補強が施されていること
を特徴とする積み重ね可能な段ボール製収納箱。
【考案の詳細な説明】
【０００１】
【考案の属する技術分野】
本考案は、段ボール製収納箱に関するものである。
【０００２】
【従来の技術】
従来、段ボール紙を組立てることにより構成された直方体形状の段ボール製収納箱が知られている。この段ボール製収納箱は、組立が簡単で、軽量であるにも関わらず、丈夫で耐久性がある。そして、この段ボール製収納箱によれば、扉或いは引き出しを備えて、ものの出し入れを行う様に構成されている。
【０００３】
【考案が解決しようとする課題】
しかし、扉を備えた段ボール製収納箱は、片方の手で扉を持ちながら、もう片方の手で物の出し入れをしなければならず、非常に不便であるという問題がある。このとき、片手で物を持たなければならないので、出し入れの際に、物を落とす恐れもある。
【０００４】
また、引き出しを備えた段ボール製収納箱は、物が入る奥行以上に引き出しを引き出さないと、物の出し入れができないという問題がある。また、重い物が入っている場合は、引き出しの出し入れがしにくいという問題もある。
【０００５】
そこで、本考案は、物の出し入れがしやすく、開閉部の耐久性の高い段ボール製収納箱を提供することを目的とするものである。
【０００６】
【課題を解決するための手段】
かかる目的を達成するためになされた本考案の段ボール製収納箱は、実用新案登録請求の範囲に記載した様に、少なくとも一つの開口を有し、該開口には、開口を閉じたり開いたりするための扉を備えている段ボール製収納箱において、前記扉には、幅方向に貫通する穴と、該穴内に移動可能に挿入される少なくとも２本の棒と、該棒同士の間に介在される少なくとも１つのバネ部材とからなる棒状部材が取り付けられ、前記開口近傍の箱本体側に、前記棒状部材の両端を摺動又は回動可能に支えると共に、該支えられた棒状部材が抜け出さない様にする棒状部材支持部が形成されており、前記棒状部材は、その両端を押圧すると、全長が前記棒状部材支持部に挿入可能な長さとなり、該押圧をやめると、全長が前記棒状部材支持部から容易に抜け出さない長さに復帰する様に構成されていることを特徴とする。
【０００７】
本考案の段ボール製収納箱は、実用新案登録請求の範囲に記載した様に、シューズ収納用、ブーツ収納用、洗面台下収納用、新聞・雑誌収納用、その他の段ボール製収納箱として応用することができる。また、内容物が重くいものであり、かつ、重ねて使用するものにおいては、収納箱本体の開口の枠の部分に潰れ防止用の補強を施すことが望ましい。
【０００８】
【考案の実施の形態】
【０００９】
以下、本考案の実施の形態について、図面を参照しつつ説明する。第１の実施の形態としてのシューズ収納用の段ボール製収納箱１は、図１に示す様な、外枠１１と、中枠２１と、後板３１と、扉４１といった段ボール製部材と、図２に示す様な、ブラスチック製の表ネジ５１及び裏ネジ５２と、金属製の取手６１と、金属ネジ６２と、座金６３と、ナット６４と、アルミ製のミニ棒７１と、バネ７２、ジョイント８１といった部品からなる。以下に、段ボール製部材について説明する。
【００１０】
外枠１１は、図１及び図３〜図５に示す様に、上下面となる部分１２ａ，１２ｂと、左右面となる部分１２ｃ，１２ｄと、後ろフラップ１３ａ，１３ｂ，１３ｃ，１３ｄと、前フラップ１４ａ，１４ｂ，１４ｃ，１４ｄが一枚の段ボールで形成され、角筒状となっている。また、前フラップ１４ａ，１４ｂの角には、前フラップ１４ｃ，１４ｄの角の突起部１５ａ，１５ｂがかみ合うための溝部１６ａ，１６ｂが設けられている。また、前フラップ１４ｃ，１４ｄの端には、扉４１を摺動可能に支持するための水平溝１７ｃ，１７ｄが設けられている。また、左右面となる部分１２ｃ，１２ｄ及び前フラップ１４ｃ，１４ｄには、中枠２１を固定するための穴１８ｃ，１８ｄが設けられ、上下面となる部分１２ａ，１２ｂには、ジョイント８１をはめ込むための穴１９ａ，１９ｂが２つずつ設けられている。
【００１１】
中枠２１は、図１に示す様に、下面となる部分２２ｂと、左右面となる部分２２ｃ，２２ｄと、折り返し部分２３ｂ，２３ｃ，２３ｄとからなる。左右面となる部分２２ｃ，２２ｄと、折り返し部分２３ｃ，２３ｄの角には、それぞれ突起部２４ｃ，２４ｄ，２５ｃ，２５ｄが設けられている。さらに、左右面となる部分２２ｃ，２２ｄの端には、それぞれ補強部２６ｃ，２６ｄが設けられている。また、折り返し部分２３ｃ，２３ｄの端には、扉４１を支持するための水平溝２７ｃ，２７ｄが設けられている。また、左右面となる部分２３ｃ，２２ｄ，及び折り返し部分２３ｃ，２３ｄには、中枠２１を外枠１１に固定するための穴２８ｃ，２８ｄ，２９ｃ，２９ｄが設けられている。
【００１２】
後板３１は、図１に示す様に、外枠へ後板を挿入したときに後面となる部分３２と、上部及び左右部に設けられた端部３３ａ，３３ｃ，３３ｄとからなる。左部端部３３ｃの下端には、外枠の糊しろ部分の幅だけ、切り欠き部３４ｃが開口されている。
【００１３】
扉４１は、図１，８に示す様に、ポリエチレン製の窓板４２を、表板４３と中板４４とで挟み、表板４３の折り返し部分を中板４４の外側に折り返して、形成されている。扉４１の上縁には、幅方向に貫通する穴４５が設けられ、その穴４５には円筒４６が備えられている。そして、この円筒４６に、アルミ製のミニ棒４７が１つ挿入されている。また、扉の下方中央部には、取手を取り付けるためのネジ穴４８が設けらている。
【００１４】
次に、シューズ収納用の段ボール製収納箱１の組立方法について、図３〜図１１を参照し説明する。
【００１５】
まず、図３に示す様に、外枠１１を起こし角筒状にした後に、後ろフラップ１３ａ，１３ｂ，１３ｃ，１３ｄを図のＡ，Ｂ，Ｃの順に折っていき、最後に後ろフラップ１３ｂを中に押し込む。
【００１６】
次に、後板３１の端部３３ａ，３３ｃ，３３ｄを図４の様に折り、後板３１を外枠１１の前フラップ側のほうから挿入させ、外枠１１の奥まで入れる。このとき、後板３１の左部端部３３ｃの切り欠き部３４が外枠１１の糊しろ部分にかかる様に挿入させる。
【００１７】
次に、図５に示す様に、外枠１１の前フラップ１４ａ，１４ｂを中に折り込み、次に前フラップ１４ｃ，１４ｄを中に折り込んで、前フラップ１４ａ，１４ｂにある溝部１６ａ，１６ｂに、前フラップ１４ｃ，１４ｄにある突起部１５ａ，１５ｂをかみ合わせる。
【００１８】
中枠２１は、まず補強部分２６ｃ，２６ｄを図６の様に内側に折り、続いて折り返し部分２３ｂ，２３ｃ，２３ｄを内側に折る。そして、折り重なった２２ｃ，２３ｃ及び２２ｄ，２３ｄを内側に起こす。
【００１９】
次に、図７に示す様に、上記の様に折った中枠２１を、外枠１１にはめ込む。はめ込むときは、内側に起こした２２ｃ，２３ｃと、２２ｄ，２３ｄをより内側に傾け、斜めに差しこむ様にする。はめ込んだ後、外枠１１の前フラップ１４ａの溝部１６ａに、中枠２１の突起部２４ｃ，２４ｄ、２５ｃ，２５ｄをかみ合わせる。
【００２０】
そして、図８に示す様に、外枠１１の１２ｃと、中枠２１の２２ｃ，２３ｃとを、表ネジ５１と裏ネジ５２でとめる。同様に、外枠１１の１２ｄと、中枠２１の２２ｄ，２３ｄを、表ネジ５１と裏ネジ５２でとめる。表ネジ５１と裏ネジ５２は、両側から押すと、止まる様になっている。
【００２１】
次に、図９に示す様に、扉４１の表側のネジ穴４８に取手６１を合わせ、取手６１のネジ穴に金属ネジ６２を差込み、裏側から座金６３を通しナット６４を閉めて固定する。
【００２２】
そして、図１０に示す様に、扉４１の上端に備えられた円筒４６の左側からバネ７２を入れ、その上からミニ棒７１を入れる。
【００２３】
次に、図１１に示す様に、扉４１の右側のミニ棒４７を外枠１１の水平溝１７ｄ，２７ｄに引っかける。そして、左側のミニ棒７１を指で押えながらずらし、溝部水平溝１７ｃ，２７ｃに取り付ける。こうして、図１２に示すシューズ収納用の段ボール製収納箱１が完成する。
【００２４】
この実施の形態のシューズ用の段ボール製収納箱１によれば、上記のような構成にしたので、扉４１の取手６１を手前に引き、扉を横にした状態で奥にスライドさせると、扉４１をその状態で外枠の上部に保持できる。これにより、扉をもっていなくても開口状態にすることができるので、シューズの出し入れがしやすい。
【００２５】
また、この段ボール製収納箱１を図１３，１４の様に積み重ねた場合でも、下段のシューズを容易に取り出すことができる。
【００２６】
さらに、この段ボール製収納箱１によれば、扉４１に窓板４２がついているので、外部からシューズを視認しやすく、必要なシューズをすぐに見つけ出すことができる。
【００２７】
また、中枠２１が取り付けられているので、扉４１を閉じたときの位置決めができ、また扉４１を開いたときの下支えにもなる。さらに、外枠１１の補強部材としても作用している。
【００２８】
また、この段ボール製収納箱１を積む場合は、図１３の様に、外砕の穴１９ａ，１９ｂにジョイント８１を合わせてはめ込むこんで積み重ねてもよいし、図１４の様に、段ボール製収納箱１が６個収まるスタンド９１に積み重ねて入れてもよい。
【００２９】
次に、第２の実施の形態としてのブーツ収納用の段ボール製収納箱２は、図１５に示す様な外枠１１１と、中枠１２１と、仕切板１３１と、上扉１４１と、下扉１５１といった段ボール製部材からなる。以下に、段ボール製部材について説明する。
【００３０】
外枠１１１の内部上端には、上扉１５１を動可能に支持するための水平溝が設けられ、外枠１１１の手前下端には、下扉１５１を取り付けるための穴が設けられている。外枠１１１の上下面には、ジョイント１１２を取り付ける穴が設けられている。
【００３１】
中枠１２１の左右面上部には、上扉１４１を支持するための水平溝が設けられ、下面には、逆さにしたブーツを差しこむための切り欠き部１２２が２つ設けられている。この切り欠き部１２２の上には、ブーツが傷つかない様にするための不織布１２３が備え付けられ、ブーツを差しこむための切り込みが設けられている。
【００３２】
仕切板１３１は、外枠１１１内部を左右に仕切る様に配置され、中枠１２１の下面と外枠１１１の下面とに取り付けられている。仕切り板１３１の前中央部には、マグネット１３２が取り付けられている。
【００３３】
上扉１４１は、ポリエチレン製の窓板１４２と、窓板１４２を挟むための窓枠１４３とからなる。上扉１４１の下方中央部には、取手１４４が取り付けられている。上扉１４１の上端の穴には、筒が備えられ、バネと、そのバネを挟む様にアルミ棒２本とが備えられている。このアルミ帽が、外枠１１１の水平溝を摺動する様に、上扉が取付けてられている。
【００３４】
下扉１５１の下端の穴には、筒が備えられ、その中にバネと、そのバネを挟む様にアルミ棒２本とが備えられている。そして、このアルミ棒が、外枠１１１の手前下端の穴に差しこまれている。また、下扉１５１の裏面中央部には、金属板１５２が取り付けられ、仕切り板１３１のマグネット１３２と引っ付く様になっている。
【００３５】
このブーツ収納用の段ボール製収納箱２によれば、上記の様な構成としたので、上扉１４１の取手１４４を手前に引き、上扉１４１を横にした状態で奥にスライドさせると、扉１４１をその状態で外枠の上部に保持できる。これにより、扉を持っていなくても開口状態とすることができる。後は、下扉１５１を手前に倒せば、全開した状態となるので、ブーツの出し入れがしやすい。
【００３６】
また、上扉１４１及び下扉１５１の開閉にあたっては、外枠の幅だけで足りるので、部屋の壁や家具に接している様な狭い隙間に設置できる。
【００３７】
また、手前に倒れた下扉１５１が、ブーツの出し入れの際に、ブーツについた泥や土を受けるので、床が汚れにくい。
【００３８】
さらに、中枠１２１にブーツを差しこむことのできる切り欠き部１２３を設けているので、ブーツの片方をそのまま奥に入れ、もう片方を逆さにして、この切り欠き部１２３に引っかけることができる。これにより、２足のブーツを収納することができる。
【００３９】
また、上扉１４１に窓板１４２がついているので、外部からブーツを視認しやすく、必要なブーツをすぐに見つけることができる。
【００４０】
さらに、中枠１２１が取り付けられているので、上扉１４１を閉じたときの位置決めができ、また上扉１４１を開いたときの下支えにもなる。
【００４１】
また、この段ボール製収納箱２を積み重ねる場合は、外枠１１１の穴にジョイント１１４をはめ込むこんで積み重ねてもよい。
【００４２】
次に、第３の実施の形態としての洗面台下用の段ボール製収納箱３は、図１６に示す様な外枠２１１と、仕切板２２１と、上引き出し２３１と、下引き出し２４１と、扉２５１といった段ボール製部材からなる。以下に、段ボール製部材について説明する。
【００４３】
外枠２１１の内部左右面には、仕切板２２１を取り付ける溝が設けられている。また、外枠２１１の手前には、扉２５１を取り付けるための穴が設けられている。
【００４４】
仕切板２２１は、外枠２１１の内部を上下に仕切る様に、外枠の左右面に取り付けられている。
【００４５】
上引き出し２３１は、仕切り板２２１の上に備えられ、スライドする様になっている。上引き出し２３１の前面中央部には、合成皮革製の取手２３２が取り付けれている。
【００４６】
下引き出し２４１は、仕切り板２２１の下に備えられ、スライドする様になっている。下引き出し２４１の前面中央部には、合成皮革製の取手２４２が取り付けれている。また下引き出しの側面は、前部から上部にかけて円弧状に切り取られた部分２４３及び水平部分２４４がある。
【００４７】
扉２４１の上端には、筒が備えられ、その中にバネと、そのバネを挟む様にアルミ棒２本とが備えられている。そして、扉２４１のアルミ棒が仕切板のすぐ下に設けられた外枠２１１の穴に、差しこまれている。
【００４８】
この洗面台下用の段ボール製収納箱３によれば、上記の様な構成としたので、下引き出しの開閉にあわせて、扉の開閉が可能となり、扉２５１自体を開閉する必要がない。
【００４９】
また、下引き出し２４１を引き出しておくだけで、扉２５１は開口した状態になるので、扉２５１を持っている必要がなく、ものの出し入れがしやすい。
【００５０】
さらに、この洗面台下用の段ボール製収納箱３によれば、上引き出し２３１には、高さの低いものを、下引き出し２４１には、高さの高い物を収納することができ、洗面台下の空間を有効に活用することができる。なお、洗面台下用のダンボール製収納箱３では、下引き出し２４１を引き出す際に、本体が一緒に前へずり出してしまわない様に、底面と床との間に、滑り止めシートを介在させておくことが望ましい。
【００５１】
次に、第４の実施の形態としての新聞・雑誌収納用の段ボール製収納箱４は、図１７に示す様な外枠３１１と、前板３２１と、新聞・雑誌受け３３１といった段ボール製部材からなる。以下に、段ボール製部材について説明する。
【００５２】
外枠３１１の前上部には、前板３２１を取り付けるための溝が設けられ、前下端には、新聞・雑誌受け３３１を取り付けるための穴が設けられてる。
【００５３】
前板３２１は、新聞が入れやすい様に、図１７の様に斜めに取り付けられている。
【００５４】
新聞・雑誌受け３３１の前下端の穴には、筒が備えられ、その中にバネと、そのバネを挟む様にアルミ棒２本とが備えられている。そして、このアルミ棒が、外枠３１１の穴に差しこまれている。また、新聞・雑誌受け３３１の前上部には、取手３３２が取り付けられている。
【００５５】
この新聞・雑誌収納用の段ボール製収納箱４によれば、上記のような構成としたので、新聞・雑誌受け３３１が重たくなっても、新聞・雑誌受け３３１の開閉がしやすい。
【００５６】
以上、本考案の実施の形態について説明したが、本考案は上述した実施の形態に限られることなく、その要旨を逸脱しない範囲内において、さらに種々の態様にて実施することができる。
【００５７】
例えば、実施の形態では、図１８の様に、扉に筒を設け、その中にバネと、そのバネを挟む様にアルミ棒２本とが入る様にしたが、図１９の様に、扉の中板を上端中央部を凸状とし、それによってできた両方の穴に、筒とバネとアルミ棒を一つずつ入れる様にしてもよい。また、図２０の様に、扉の中板を上端中央部を凸状とし、片方の穴にアルミ棒のみを入れ、もう片方の穴に筒とバネとアルミ棒を入れる様にしてもよい。また、この図２０のタイプにおいて、中板をなくしてもよい。さらに、その場合、左右のアルミ棒及びバネを収容することのできる円筒を、扉の上縁に挿入しておくとよい。
【００５８】
また、実施の形態では、シューズ収納用、ブーツ収納用、洗面台下収納用、新聞・雑誌収納用の段ボール製収納箱について記載したが、本校案の段ボール製収納箱は、図２１の様な雑誌収納用や、図２２の様なＣＤ収納用にも応用できる。雑誌収納用の箱においては、積み重ね可能にし、かつ、収納箱本体の開口部分に、鉄製の枠を内蔵させて潰れ難く補強しておく。なお、開口側だけの補強で足りるのは、後壁があるから、収納箱の奥は元々強度が高いからである。
【図面の簡単な説明】
【図１】シューズ収納用の段ボール製収納箱１の段ボール製部材の展開図である。
【図２】シューズ収納用の段ボール製収納箱１の部品図である。
【図３】シューズ収納用の段ボール製収納箱１の組立図（１）である。
【図４】シューズ収納用の段ボール製収納箱１の組立図（２）である。
【図５】シューズ収納用の段ボール製収納箱１の組立図（３）である。
【図６】シューズ収納用の段ボール製収納箱１の組立図（４）である。
【図７】シューズ収納用の段ボール製収納箱１の組立図（５）である。
【図８】シューズ収納用の段ボール製収納箱１の組立図（６）である。
【図９】シューズ収納用の段ボール製収納箱１の組立図（７）である。
【図１０】シューズ収納用の段ボール製収納箱１の組立図（８）である。
【図１１】シューズ収納用の段ボール製収納箱１の組立図（９）である。
【図１２】シューズ収納用の段ボール製収納箱１の完成図である。
【図１３】シューズ収納用の段ボール製収納箱１の積み重ね図（１）である。
【図１４】シューズ収納用の段ボール製収納箱１の積み重ね図（２）である。
【図１５】ブーツ収納用の段ボール製収納箱２の斜視図である。
【図１６】洗面台下収納用の段ボール製収納箱３の斜視図である。
【図１７】新聞・雑誌収納用の段ボール製収納箱４の斜視図である。
【図１８】シューズ収納用の段ボール製収納箱１の扉の斜視図である。
【図１９】シューズ収納用の段ボール製収納箱１の扉の斜視図である。
【図２０】シューズ収納用の段ボール製収納箱１の扉の斜視図である。
【図２１】雑誌収納用の段ボール製収納箱の斜視図である。
【図２２】ＣＤ収納用の段ボール製収納箱の斜視図である。
【符号の説明】
１・・・シューズ収納用の段ボール製収納箱、２・・・ブーツ収納用の段ボール製収納箱、３・・・洗面台下用の段ボール製収納箱、４・・・新聞・雑誌収納用の段ボール製収納箱、１１・・・外枠、１２ａ，１２ｂ・・・上下面となる部分、１２ｃ，１２ｄ・・・左右面となる部分、１３ａ，１３ｂ，１３ｃ，１３ｄ・・・後ろフラップ、１４ａ，１４ｂ，１４ｃ，１４ｄ・・・前フラップ、１５ａ，１５ｂ・・・突起部、１６ａ，１６ｂ・・・溝、１７ｃ，１７ｄ・・・水平溝、１８ｃ，１８ｄ・・・穴、１９ａ，１９ｂ・・・穴、２１・・・中枠、２２ｂ・・・下面となる部分、２２ｃ，２２ｄ・・・左右面となる部分、２３ｂ，２３ｃ，２３ｄ・・・折り返し部分、２４ｃ，２４ｄ，２５ｃ，２５ｄ・・・突起部、２６ｃ，２６ｄ・・・補強部、２７ｃ，２７ｄ・・・水平溝、２８ｃ，２８ｄ・・・穴、２９ｃ，２９ｄ・・・穴、３１・・・後板、３２・・・後面となる部分、３３ａ，３３ｃ，３３ｄ・・・端部、３４ｃ・・・切り欠き部、４１・・・扉、４２・・・窓板、４３・・・表板、４４・・・中板、４５・・・穴、４６・・・円筒、４７・・・ミニ棒、４８・・・ネジ穴、５１・・・表ネジ、５２・・・裏ネジ、６１・・・取手、６２・・・金属ネジ、６３・・・座金、６４・・・ナット、７１・・・ミニ棒、７２・・・バネ、８１・・・ジョイント、９１・・・スタント、１１１・・・外枠、１１２・・・ジョイント、１２１・・・中枠、１２２・・・切り欠き部、１２３・・・不織布、１３１・・・仕切板、１３２・・・マグネット、１４１・・・上扉、１４２・・・窓板、１４３・・・窓枠、１４４・・・取手、１５１・・・下扉、１５２・・・金属板、２１１・・・外枠、２２１・・・仕切板、２３１・・・上引き出し、２３２・・・取手、２４１・・・下引き出し、２４２・・・取手、２４３・・・円弧状に切り取られた部分、２４４・・・水平部分、２５１・・・扉、３１１・・・外枠、３２１・・・前板、３３１・・・引き出し、３３２・・・取手
【図１】
0003097306.tif 000003
【図２】
0003097306.tif 000004
【図３】
0003097306.tif 000005
【図４】
0003097306.tif 000006
【図５】
0003097306.tif 000007
【図６】
0003097306.tif 000008
【図７】
0003097306.tif 000009
【図８】
0003097306.tif 000010
【図９】
0003097306.tif 000011
【図１０】
0003097306.tif 000012
【図１１】
0003097306.tif 000013
【図１２】
0003097306.tif 000014
【図１３】
0003097306.tif 000015
【図１４】
0003097306.tif 000016
【図１５】
0003097306.tif 000017
【図１６】
0003097306.tif 000018
【図１７】
0003097306.tif 000019
【図１８】
0003097306.tif 000020
【図１９】
0003097306.tif 000021
【図２０】
0003097306.tif 000022
【図２１】
0003097306.tif 000023
【図２２】
0003097306.tif 000024